(57)【要約】【課題】降雨等により受信状態が悪い場合においても、より高品質で録画を行うことが可能となる。【解決手段】信号処理部１２が、同一のコンテンツを放送波による放送波経路とネットワークによるネットワーク経路とから受信し、天気予報情報取得部２４が、放送波経路の信頼性に関する天気予報情報を取得し、録画予約設定部２１が、天気予報情報取得部２４が取得した放送波経路の信頼性に関する情報に応じて、放送波経路及びネットワーク経路のいずれから、信号処理部１２が受信したコンテンツの録画予約を行なう。これにより、降雨等の障害により放送番組の録画に失敗する可能性が大幅に減少する。【選択図】図１
2009260558.tif 000002
【特許請求の範囲】
【請求項１】
放送波による放送波経路、及びネットワークによるネットワーク経路でコンテンツを受信することが可能なコンテンツ受信手段と、
前記放送波経路の信頼性に関する情報を取得する放送波経路情報取得手段と、
前記放送波経路情報取得手段が取得した前記放送波経路の信頼性に関する情報に応じて、前記放送波経路及び前記ネットワーク経路のいずれか一方を選択する選択手段と、
前記選択手段で選択した経路でコンテンツ受信手段が受信したコンテンツの録画を実行する録画手段と
を備える録画装置。
【請求項２】
前記放送波経路情報取得手段は、前記放送波経路の信頼性に関する情報として、天気予報に関する情報を取得する、請求項１に記載の録画装置。
【請求項３】
前記ネットワーク経路の信頼性に関する情報を取得するネットワーク経路情報取得手段をさらに備え、
前記選択手段は、前記放送波経路時情報取得手段が取得した前記放送波経路の信頼性に関する情報、及び前記ネットワーク経路情報取得手段が取得した前記ネットワーク経路の信頼性に関する情報に応じて、前記放送波経路及び前記ネットワーク経路の一方を選択する、請求項１又は２に記載の録画装置。
【請求項４】
録画を実行することが可能な他の装置と通信し、前記他の装置によるコンテンツの録画の信頼性に関する情報を取得する共有録画情報取得手段と、
前記共有録画情報取得手段が取得した前記他の装置によるコンテンツの録画の信頼性に関する情報に応じて、前記他の装置からのネットワーク経由での録画を実行させる共有録画手段と
を備えた請求項１〜３のいずれか１項に記載の録画装置。
【請求項５】
放送波による放送波経路、及びネットワークによるネットワーク経路の一方からコンテンツを受信し、
前記放送波経路の信頼性に関する情報を取得し、
前記放送波経路の信頼性に関する情報に応じて、前記放送波経路及び前記ネットワーク経路のいずれか一方を選択し、
該選択した経路で受信したコンテンツの録画を実行する、録画方法
【請求項６】
前記放送波経路の信頼性に関する情報として、天気予報に関する情報を取得する、請求項５に記載の録画方法。
【請求項７】
コンテンツの録画を実行することが可能な他の装置とネットワークを介して通信し、前記他の装置によるコンテンツの録画の信頼性に関する情報を取得し、
取得した前記他の装置によるコンテンツの録画の信頼性に関する情報に応じて、前記他の装置からのネットワーク経由での録画を実行させる、請求項５又は６に記載の録画方法。
【請求項８】
前記ネットワーク経路の信頼性に関する情報を取得し、
前記ネットワーク経路情報取得手段が取得した前記ネットワーク経路の信頼性に関する情報に応じて、前記放送波経路及び前記ネットワーク経路のいずれから前記コンテンツ受信手段が受信したコンテンツの録画を実行する、請求項５〜７のいずれか１項に記載の録画方法。
【発明の詳細な説明】
【技術分野】
【０００１】
本発明は、同一のコンテンツを、放送波による経路とネットワークによる経路とから受信して、録画を実行することが可能な録画装置及び録画方法に関するものである。
【背景技術】
【０００２】
放送されるコンテンツを受信して、予約録画を実行する場合、降雨等により受信状態が悪く、所望の番組の録画を行うことができない場合がある。そのため、特許文献１では、録画開始前および録画中に、デジタルチューナのＣ／Ｎを検知し、デジタルチューナのＣ／Ｎが一定の閾値を下回った場合、デジタルチューナからの番組録画をアナログチューナからの番組録画よりも低品位とみなし、アナログチューナからの番組録画に自動的に切り替えることで、降雨等による障害の影響を軽減した技術が開示されている。
【特許文献１】特開２００６−１９１３４４号公報
【発明の開示】
【発明が解決しようとする課題】
【０００３】
しかしながら、上記のような技術は、結局のところ、放送波による経路によりコンテンツを受信するものであり、降雨等による障害の影響を受けるものである。さらに、上記技術では、通常、デジタルチューナからの番組録画よりも低品質であるアナログチューナからの番組録画に切替えるため、通常のデジタルチューナからの番組録画よりも録画の品質が劣る。そのため、降雨等により受信状態が悪い場合においても、より高品質で録画を行うことができる手法が望まれている。
【０００４】
本発明は、かかる事情に鑑みてなされたものであり、その目的は、降雨等により受信状態が悪い場合においても、より高品質で録画を行うことが可能な録画装置及び録画方法を提供することにある。
【課題を解決するための手段】
【０００５】
本発明は、放送波による放送波経路、及びネットワークによるネットワーク経路でコンテンツを受信することが可能なコンテンツ受信手段と、放送波経路の信頼性に関する情報を取得する放送波経路情報取得手段と、放送波経路情報取得手段が取得した放送波経路の信頼性に関する情報に応じて、放送波経路及び前記ネットワーク経路のいずれか一方を選択する選択手段と、選択手段で選択した経路でコンテンツ受信手段が受信したコンテンツの録画を実行する録画手段とを備える録画装置である。
【０００６】
また、本発明は、放送波による放送波経路、及びネットワークによるネットワーク経路の一方からコンテンツを受信し、放送波経路の信頼性に関する情報を取得し、放送波経路の信頼性に関する情報に応じて、放送波経路及び前記ネットワーク経路のいずれか一方を選択し、該選択した経路で受信したコンテンツの録画を実行する、録画方法である。
【発明の効果】
【０００７】
本発明の録画装置及び録画方法によれば、降雨等により受信状態が悪い場合においても、より高品質で録画を行うことが可能となる。
【発明を実施するための最良の形態】
【０００８】
以下、図面を参照しつつ本発明に係る録画装置の好適な実施形態について詳細に説明する。
【０００９】
図１は、第１実施形態に係る録画装置の構成を示すブロック図である。図１に示すように、本実施形態の録画装置１０ａは、信号処理部１２、記録装置１３、光ディスクドライブ１４、出力部１５、受光部１６、リモートコントローラ１７、及び制御部２０を備えている。本実施形態の録画装置１０ａは、ＮＧＮ（Next  Generation  Network）を用いた地上デジタル放送の同時放送を受信して録画することにより、降雨等による放送波の受信における障害に対応し得るように構成されている。
【００１０】
信号処理部１２は、アンテナ等から地上デジタル放送の放送波を受信して、当該放送波経路によるコンテンツの信号を処理し、記録装置１３に記録する。また、信号処理部１２は、ネットワークからＮＧＮを用いた地上デジタル方法の同時放送の信号を受信し、当該ネットワーク経路によるコンテンツの信号を処理し、記録装置に記録する。
【００１１】
記録装置１３は、ＨＤＤ（Ｈａｒｄ  Ｄｉｓｋ  Ｄｒｉｖｅ）等から構成され、信号処理部１２が処理した信号によるコンテンツデータを記録する。光ディスクドライブ１４は、記録装置１３に記録したコンテンツデータを、ＤＶＤ（Ｄｉｇｉｔａｌ  Ｖｅｒｓａｔｉｌｅ  Ｄｉｓｋ）等の光ディスクに記録する。
【００１２】
出力部１５は、信号処理部１２が処理した信号によるコンテンツデータをモニタ等に出力する。受光部１６は、リモートコントローラ１７からユーザ操作による指令信号を受光する。
【００１３】
制御部２０は、録画予約設定部２１、推定部２３、及び天気予報情報取得部２４を有している。録画予約設定部２１は、受光部１６が受信したユーザ操作による録画予約設定に従ってコンテンツの録画を実行する。なお、後述するように、当該録画予約設定は、推定部２３による放送波経路の信頼性に従って変更される。
【００１４】
天気予報情報取得部２４は、一定時間ごとにネットワーク上の天気予報情報を取得し、当該天気予報情報を推定部２３に出力する。推定部２３は、録画開始時点での降雨可能性に基づき、放送波経路での信頼性を推定し、録画予約設定部２１に出力する。
【００１５】
以下、本実施形態の録画装置１０ａの動作について説明する。図２は、第１実施形態に係る録画装置１０ａの動作を示すフロー図である。ユーザにより、地上デジタル放送のコンテンツを録画するために、放送波経路により録画する録画予約設定がなされている場合、図２に示すように、制御部２０の天気予報情報取得部２４は、一定時間ごとにネットワーク上の天気予報情報を取得し、推定部２３に渡す（Ｓ１１）。
【００１６】
推定部２３は、天気予報情報取得部２４が取得した天気予報情報における録画開始時点での降雨可能性が一定の閾値以上の場合は（Ｓ１２）、放送波経路での信頼性を低いと推定する。録画予約設定部２１は、推定部２３が放送波経路での信頼性を低いと推定した場合、既存の放送波経路での録画予約設定を消去し（Ｓ１３）、新規にネットワーク経路での録画予約を設定する（Ｓ１４）。
【００１７】
なお、録画予約設定部２１において、いずれの経路を使用すべきかの判断においては、放送波経路での信頼性の他に、ネットワーク経路での録画予約との重複等も考慮するようにしても良い。また、放送波経路での信頼性に関する情報としてアンテナからの受信レベルを使用しても良い。さらに、録画予約設定部２１は、サーバのメンテナンス情報等のネットワーク経路の信頼性に関する情報により、いずれの経路を使用すべきかの判断を行なっても良い。
【００１８】
本実施形態によれば、信号処理部１２が、同一のコンテンツを放送波による放送波経路とネットワークによるネットワーク経路とから受信し、天気予報情報取得部２４が、放送波経路の信頼性に関する天気予報情報を取得し、録画予約設定部２１が、天気予報情報取得部２４が取得した放送波経路の信頼性に関する情報に応じて、放送波経路及びネットワーク経路のいずれから、信号処理部１２が受信したコンテンツの録画予約を行なう。これにより、降雨等の障害により放送番組の録画に失敗する可能性が大幅に減少する。また、普段は放送波経路で録画予約することにより、常にネットワーク経路により録画する場合に比べてトラフィックが軽くなるという利点も有する。
【００１９】
以下、本発明の第２実施形態について説明する。図３は、第２実施形態に係る録画装置１０ｂの構成を示すブロック図である。図３に示すように、本実施形態の録画装置１０ｂは、制御部２０内に録画情報共有部２５と録画コンテンツ共有部２６とを有している。録画情報共有部２５は、ネットワークを介して自装置である録画装置１０ｂと接続された他の録画装置における録画設定情報、録画成功・失敗情報等を含む録画情報を取得し、それらの情報を他の録画装置と共有する。録画コンテンツ共有部２６は、ネットワークを介して接続された他の録画装置において録画されたコンテンツデータを取得し、当該コンテンツデータを他の録画装置と共有する。
【００２０】
図４のフロー図に示すように、急な降雨等で、録画予約中あるいは現在録画中のコンテンツの録画の失敗が想定される場合には、録画情報共有部２５は、一定時間ごとに、ネットワーク経由で録画情報及び録画コンテンツの共有が可能な全ての他の録画装置を探索する（Ｓ２１）。
【００２１】
録画情報共有部２５は、探索の対象となる他の録画装置を決定すると（Ｓ２２）、対象となる他の録画装置の有する録画情報を取得する（Ｓ２３）。推定部２３は、取得した録画情報より、当該他の録画装置におけるコンテンツの録画の信頼性を推定する（Ｓ２４）。
【００２２】
録画予約設定部２１は、全ての他の録画装置について、コンテンツの録画の信頼性の推定が終了した後（Ｓ２１）、自装置における既存の録画予約設定を消去し（Ｓ２５）、信頼性の高い他の録画装置からのネットワーク録画予約の設定を行う（Ｓ２６）。そして、当該他の録画装置の録画中または終了後に、録画コンテンツ共有部２６は、ネットワーク経由でコンテンツデータを他の録画装置から取得し、共有する。
【００２３】
本実施形態によれば、ネットワークを介して接続された他の装置と、録画情報を共有し、コンテンツの録画の信頼性が最も高い機器が録画したコンテンツデータを共有することになるため、降雨等の障害により放送番組の録画に失敗する可能性をさらに減少させることができる。
【００２４】
以上、本発明の実施の形態について説明したが、本発明は、上記実施形態に限定されるものではなく種々の変形が可能である。
【図面の簡単な説明】
【００２５】
【図１】第１実施形態に係る録画装置の構成を示すブロック図である。
【図２】第１実施形態に係る録画装置の動作を示すフロー図である。
【図３】第２実施形態に係る録画装置の構成を示すブロック図である。
【図４】第２実施形態に係る録画装置の動作を示すフロー図である。
【符号の説明】
【００２６】
１０ａ，１０ｂ…録画装置、１２…信号処理部、１３…記録装置、１４…光ディスクドライブ、１５…出力部、１６…受光部、１７…リモートコントローラ、２０…制御部、２１…録画予約設定部、２３…推定部、２４…天気予報情報取得部、２５…録画情報共有部、２６…録画コンテンツ共有部。
【図１】
2009260558.tif 000003
【図２】
2009260558.tif 000004
【図３】
2009260558.tif 000005
【図４】
2009260558.tif 000006